(57)【要約】      （修正有）【課題】構成が簡単で、施工性が良好であり、また設置に係る工事費の高騰を抑えることができる屋外排水設備を提供する。【解決手段】屋外排水設備は、建物内の屋内排水設備からの排水枝管１１を、建物外の排水本管４Ａ，５Ａに、排水ます１を介して接続する屋外排水設備であって、排水枝管１１と排水ます１とは、地中に埋設される多目的管１３，１４との干渉を避けて、多目的管１３，１４の下側を横断するように配設されている接続直管９を介して連絡している。【選択図】図１
2016141985.tif 000002
【特許請求の範囲】
【請求項１】
建物内の屋内排水設備からの排水枝管を、建物外の排水本管に排水ますを介して接続する屋外排水設備であって、
上記排水枝管と上記排水ますとは、地中に埋設される多目的管との干渉を避けて、該多目的管の下側を横断するように配設されている接続直管を介して連絡していることを特徴とする屋外排水設備。
【請求項２】
上記排水ますは、上端部に点検筒接続部を備えるとともに、側部に上流側排水本管接続部、下流側排水本管接続部、および、上記上流側排水本管接続部と上記下流側排水本管接続部とを結ぶ軸線に直交する軸線を有する排水枝管接続部を備え、
上記接続直管の排水枝管側端部は、９０°曲管継手を介して建物基礎に近接する縦方向排水枝管に接続し、
更に、該縦方向排水枝管は、９０°曲管継手を介して建物内の排水枝管に接続し、
上記接続直管の排水ます側端部は、上記排水ますの排水枝管接続部に接続している請求項１に記載の屋外排水設備。
【請求項３】
上記接続直管の排水枝管側端部と、上記９０°曲管継手および／または上記接続直管の排水ます側端部と、上記排水ますの排水枝管接続部と、は回転可能に接続されており、上記排水枝管接続部と上記接続直管の軸とは軸を共有している請求項１または請求項２に記載の屋外排水設備。
【請求項４】
上記排水ますの排水枝管接続部において、該接続部の内周には係合溝を凹設し、更に該接続部には外周に係合突起を形成した環状の回転継手を回転可能に嵌着して上記係合突起を上記接続部の内周の係合溝に係合し、上記回転継手の内周に上記接続直管の排水ます側端部を嵌合接着し、かくして上記接続直管の排水ます側端部は、上記排水ますの接続部に対して上記回転継手を介して回転可能に接続されている請求項３に記載の屋外排水設備。
【発明の詳細な説明】
【技術分野】
【０００１】
本発明は建物内の便所、台所、浴室のような排水を発生する設備（以下、屋内排水設備と云う）から排出される排水を、排水枝管を介して建物外に配設されている排水本管へ導くための屋外排水設備に関するものである。
【背景技術】
【０００２】
従来の屋外排水設備にあっては、排水本管に排水ますを介在させ、上記排水ますの側端に上記排水ますのインバート部に連通する管接続部を設け、上記管接続部に建物内の屋内排水設備からの排水枝管を９０°曲管継手を介して接続する構成が提供されている（特許文献１）。
また上記構成の屋外排水設備において、排水ますの管接続部に上記９０°曲管継手を回転可能に接続して、排水枝管の排水ますへの接続の位置的自由度を大きくする構成も提供されている（特許文献２、特許文献３）。
【先行技術文献】
【特許文献】
【０００３】
【特許文献１】実開平３−９３８９０号公報
【特許文献２】特許第４８９０８６３号公報
【特許文献３】実開平６−１８７９１号公報
【発明の概要】
【発明が解決しようとする課題】
【０００４】
ところで建物の周辺には排水ますの近傍において、建物の基礎と並行してガス管や水道管等の排水管以外の目的を持った多目的管が配設される場合もある。このような場合には、建物内の排水枝管を建物外の排水本管に排水ますを介して接続する排水径路と、上記多目的管とが干渉する可能性がある。
上記排水径路と上記多目的管との干渉を回避するには、図８に示すように、排水ます１の側面に９０°曲管継手１０Ａを接続し、上記９０°曲管継手１０Ａに更に垂直連結管１１Ａを介して第２の９０°曲管継手１０Ｂを接続し、該第２の９０°曲管継手１０Ｂには水平連結管１２Ａを接続し、更に該水平連結管１２Ａには第３の９０°曲管継手１０Ｃを介して垂直連結管１１Ｂを接続し、そして建物内からの排水枝管１１を第４の９０°曲管継手１０Ｄを介して接続し、上記多目的管（水道管１３、ガス管１４等）の下側に上記水平連結管１２Ａが配置されるようにする構成が考えられる。
上記構成では、上記水平連結管１２Ａが上記多目的管１３，１４の下側に配置されているから、排水径路が上記多目的管１３，１４と干渉することが回避されると同時に、排水径路から汚水が漏洩した場合でも、該汚水が下方に流れて該多目的管１３，１４を汚染するという不具合が解消されている。
しかしながら、上記構成では、管路の屈曲点が４個所もあり、各屈曲点に９０°曲管継手１０Ａ，１０Ｂ，１０Ｃ，１０Ｄを配置して配管を行うことが必要となり、構成が複雑化して、施工性が悪くなるという問題がある。
更に、上記屋外排水設備の施工工事においては、土を掘る深さが深くなるにつれて工事費が嵩むことになるので、可能な限り浅い位置に敷設することが望まれる。ところが、上記構成では、多目的管１３，１４の下方近傍となる浅い位置に水平連結管１２Ａを配管しても、排水ます１は、該水平連結管１２Ａとの高低差Ｈの分だけさらに深い位置が最低レベルＬになるように配置しなければならない。つまり、上記構成では、排水ます１の最低レベルＬと水平連結管１２Ａとの高低差Ｈを設けないと、該排水ます１の側面に接続された９０°曲管継手１０Ａの上端が建物内からの排水枝管１１よりも上位置になり、管路の勾配が逆になって、排水が流れなくなってしまう場合がある。従って、図８に示す従来構成の屋外排水設備は、高低差Ｈを確保するために排水ます１の最低レベルＬを深くしなければならず、その分、排水ます１の設置のために土を深く掘る必要があり、工事費が高くなるという問題がある。
【課題を解決するための手段】
【０００５】
本発明は、上記問題点を解決するための手段として、建物内の屋内排水設備からの排水枝管を、建物外の排水本管に排水ますを介して接続する屋外排水設備であって、上記排水枝管と上記排水ますとは、地中に埋設される多目的管との干渉を避けて、該多目的管の下側を横断するように配設されている接続直管を介して連絡している屋外排水設備を提供するものである。
上記屋外排水設備の具体的構成としては、上記排水ますは、上端部に点検筒接続部を備えるとともに、側部に上流側排水本管接続部、下流側排水本管接続部、および、上記上流側排水本管接続部と上記下流側排水本管接続部とを結ぶ軸線に直交する軸線を有する排水枝管接続部を備え、上記接続直管の排水枝管側端部は、９０°曲管継手を介して建物基礎に近接する縦方向排水枝管に接続し、更に、該縦方向排水枝管は、９０°曲管継手を介して建物内の排水枝管に接続し、上記接続直管の排水ます側端部は、上記排水ますの排水枝管接続部に接続している構成が提案される。
上記接続直管の排水枝管側端部と、上記９０°曲管継手および／または上記接続直管の排水ます側端部と、上記排水ますの排水枝管接続部と、は回転可能に接続されていることが望ましい。
上記排水ますに接続直管を接続するための望ましい構成としては、上記排水ますの排水枝管接続部において、該接続部の内周には係合溝を凹設し、更に該接続部には外周に係合突起を形成した環状の回転継手を回転可能に嵌着して上記係合突起を上記接続部の内周の係合溝に係合し、上記回転継手の内周に上記接続直管の排水ます側端部を嵌合接着し、かくして上記接続直管の排水ます側端部は、上記排水ますの接続部に対して上記回転継手を介して回転可能に接続されている構成がある。
【発明の効果】
【０００６】
（請求項１）
建物Ｂ内の屋内排水設備からの排水は、排水枝管１１に流出されて、該排水枝管１１より排水ます１を介して排水本管４Ａ，５Ａに流入するという屋外排水設備の排水径路を辿る。上記屋外排水設備の排水径路において、上記排水枝管１１と多目的管１３，１４との交錯を回避するために、上記排水枝管１１と上記排水ます１とは接続直管９を介して連絡させ、該接続直管９を上記多目的管１３，１４の下側を横断させることにより、上記屋外排水設備の排水径路と上記多目的管１３，１４との交錯を回避する。
上記接続直管９は上記多目的管１３，１４の下側に配設されているから、上記屋外排水設備の排水径路から汚水が漏洩しても上記多目的管１３，１４を汚損する心配はない。
（請求項２）
上記建物Ｂ内の屋内排水設備からの排水は、排水枝管１１から縦方向排水枝管１１Ａに流入し、更に接続直管９に導入される。そして該排水（排水枝流）は、排水ます１の側部に位置する排水枝管接続部６に接続している該接続直管９から排水ます１内のインバート部３に流入し、該インバート部３において上流側から下流側へ流れる排水本管４Ａ，５Ａの排水本流に合流する。
したがって、図８に示す構成のように、排水ます１の最低レベルＬと、水平連結管１２Ａとの間に高低差Ｈを設ける必要はなく、排水ます１と水平連結管１２Ａに相当する接続直管９との間に高低差を設ける必要がなく、それ故に排水ます１の設置レベルを深くしなくてもよいので、工事費を低減させることができる。
（請求項３）
上記接続直管９の両端部またはどちらか一方の端部と、排水ます１あるいは排水枝管１１との接続部を回転可能にすると、上記排水枝管１１の上記排水ます１への接続の位置的自由度を大きくすることが出来、狭小地でも配管工事が容易になる。なお、上記排水枝管接続部６と上記接続直管９とは、軸ＡＸを共有しており、かくして上記接続直管９は手で回転させることが出来るから、この点からみても施工性が向上する。加えて、上記排水枝管接続部６と上記接続直管９とで軸ＡＸを共有することにより、排水枝管接続部６と接続直管９が、上記排水枝管１１よりも下方位置に確実に配置されることになるため、管路の勾配を簡易に把握することができ、施工性がさらに向上する。
（請求項４）
請求項３に示すような接続直管９と排水ます１の排水枝管接続部６との回転可能な接続様式の一例として、上記排水ます１の排水枝管接続部６の内側には係合溝６１を凹設し、更に該排水枝管接続部６には、外周に係合突起７１を形成した環状の回転継手７を嵌着し、上記排水枝管接続部６内周の係合溝６１に、上記回転継手７の係合突起７１を係合する。上記構成では、上記排水枝管接続部６に対して上記回転継手７を回転させると、上記回転継手７の係合突起７１が、上記排水枝管接続部６の係合溝６１内を滑動する。このように上記回転継手７は係合突起７１と係合溝６１との係合によって、上記排水枝管接続部６から外れることなく回転することが出来る。
【０００７】
したがって本発明においては、狭小地においても、多目的管に交錯することなく建物内の排水枝管を建物外の排水本管に合流させることが出来る。
【図面の簡単な説明】
【０００８】
【図１】屋外排水設備の斜視図。
【図２】屋外排水設備の正面図。
【図３】屋外排水設備の平面図。
【図４】図３におけるＡ−Ａ断面図。
【図５】排水ます正面図。
【図６】（ａ），（ｂ）回転継手の断面図。
【図７】接続直管と９０°曲管継手との接続部分の切欠き説明図。
【図８】多目的管と排水枝管との位置関係を示す説明図。
【発明を実施するための形態】
【０００９】
本発明を図１から図６に示す一実施例にもとづいて以下に詳細に説明する。
１は排水ますであり、上端部には点検筒接続部２（受口部）、側縁にはます内部のインバート部３に通じ相対する上流側排水本管接続部４（受口部）、下流側排水本管接続部５（受口部）が設けられ、更に上記上流側排水本管接続部４と下流側排水本管接続部５とを結ぶ軸線ＣＬ１に直交する軸線ＣＬ２を有する排水枝管接続部６が設けられる（ＣＬ１⊥ＣＬ２）。
上記点検筒接続部２には地上に開口する点検筒８Ａの下端部が嵌着され、該点検筒８Ａの上端には蓋８Ｂが、地表レベル（ＧＬ）で被着されている。
上記排水枝管接続部６の内周には係合溝６１が凹設されており、該係合溝６１の外側部部（管接続部先端側）は、内周面が斜面６２Ａである先尖り形状の切刃状縁部６２を形成している。上記切刃状縁部６２は、通常、図５に示すように、複数個が開離状態で配置されている。
【００１０】
上記排水枝管接続部６には、環状の回転継手７が回転可能に嵌着されている。
上記回転継手７は、外周に係合突起７１が形成されており、該係合突起７１が上記排水枝管接続部６の内周の係合溝６１に係合することによって、該回転継手７が該排水枝管接続部６から抜け出すことを防止される。
即ち、上記回転継手７を上記排水枝管接続部６に押し込む時、上記排水枝管接続部６の切刃状縁部６２が上記回転継手７の係合突起７１に押されて弾性変形し、該係合突起７１は、該切刃状縁部６２を乗り越えて上記排水ます１の排水枝管接続部６の係合溝６１に係合する。
このように、切刃状縁部６２が係合突起７１に押されて容易に弾性変形するには、図５に示したように、該切刃状縁部６２が複数個開離状態で配置されていることが望ましい。
更に上記係合突起７１は、図６（ａ）に示すように回転継手７の全周に設けられても、図６（ｂ）に示すように回転継手７の外周に離れ離れに複数個設けられてもよい。
【００１１】
上記構成では、上記回転継手７は、上記排水ます１の排水枝管接続部６に回転可能に嵌着されるが、上記回転継手７が上記排水ます１の排水枝管接続部６において回転する際には、上記回転継手７の係合突起７１が、上記排水ます１の排水枝管接続部６の係合溝６１内で滑動することによって、上記回転継手７は上記排水ます１の排水枝管接続部６から抜け出すことなく回転する。
更に本実施例では、上記回転継手７と上記排水ます１の排水枝管接続部６との間の気密性を保持するために、上記回転継手７の係合突起７１形成部よりも先端側に、パッキンリング溝７２を周設し、上記パッキンリング溝７２内にゴム製のパッキンリング７３を嵌着し、該パッキンリング７３の先端部を上記排水ます１の排水枝管接続部６の内周に押当てる。
上記回転継手７の内周には、接続直管９の排水ます側端部を嵌合し、接着等して固定する。図４、図６に示すように、上記回転継手７と上記接続直管９とは、即ち、上記排水枝管接続部６と上記接続直管９とは、軸ＡＸを共有する。
【００１２】
更に上記接続直管９の排水枝管側端部は、９０°曲管継手１０を介して縦方向排水枝管１１Ａに接続し、上記縦方向排水枝管１１Ａは、更に９０°曲管継手１２を介して建物内の屋内排水設備（便所、台所、浴室等）に連絡する排水枝管１１に接続する。上記構成の屋外排水設備では、図１に示すように、建物内からの排水枝管１１と排水ます１との相対位置によって、上記回転継手７を介して接続直管９を手で回転させる（図１点線状態参照）。したがって排水ます１と、建物内の排水枝管１１との位置的自由度を広くとることが出来る。また、９０°曲管継手１２と排水枝管１１とを位置合わせするような場合には、前記したように排水ます１の排水枝管接続部６と接続直管９とが軸ＡＸを共有するから、該接続直管９を手で回転させることができ、施工性が良好になる。
また図２に示すように、排水枝管接続部６と接続直管９とが軸ＡＸを共有するから、排水ます１の最低レベルと上記接続直管９の最低レベルとがほぼ同じ深さであり、上記接続直管９を上記多目的管１３，１４の下方近傍に配することで、排水ます１の設置レベルを深くしなくてもよく（図８を比較参照）、工事費を低減させることができる。
更に、排水枝管接続部６と接続直管９とが軸ＡＸを共有するから、排水枝管１１よりも排水枝管接続部６が下方に位置していることが直感的に理解できるので、管路の勾配を簡易に把握することができ、施工性がさらに向上する。
本実施例においては、上記接続直管９は、図１、図２に示すように多目的管１３，１４の下側を横断する。したがって上記接続直管９等の排水径路から汚水が漏洩しても、上記多目的管１３，１４を汚染して汚損する心配はない。
【００１３】
本実施例では、上記接続直管９の排水ます側端部を、上記回転継手７を介して上記排水ます１の排水枝管接続部６に回転可能に接続した。しかしながら本発明においては、上記接続直管９の排水枝管接続部を、上記９０°曲管継手１０に回転可能に接続してもよい。例えば図７に示すように、９０°曲管継手１０は両端に管接続部１１、１２（受口部）を備えており、接続直管９接続側の受口部１１は、排水ます１の排水枝管接続部６と同様な構造を有しており、該受口部１１の内周には係合溝１１１が形成されており、該係合溝１１１の外側部分（先端側）は、内周面が斜面１１２Ａである先尖り形状の切刃状縁部１１２を形成している。
本実施例にあっても上記９０°曲管継手１０の受口部１１には、排水ます１の排水枝管接続部６に嵌着される回転継手７と同様な構造の回転継手７が嵌着される。このようにして接続直管９の９０°曲管継手１０側端部は、受口部１１に回転継手７を介して回転可能に嵌着される。
【産業上の利用可能性】
【００１４】
本発明の屋外排水設備は、建物内からの排水枝管を、接続直管を介して排水本管の排水ますに接続する場合、施工が容易でかつ簡単な構成で上記接続直管を多目的管との干渉を避けるために、該多目的管の下側を横断するように配設し、該接続直管を含む排水径路から汚水が漏洩しても、該汚水が該多目的管を汚染しないようにしたから、産業上利用可能である。
【符号の説明】
【００１５】
１          排水ます
４          上流側排水本管接続部
５          下流側排水本管接続部
６          排水枝管接続部
６１        係合溝
７          回転継手
７１        係合突起
９          接続直管
１０        ９０°曲管継手
１１        縦方向排水枝管
１２        ９０°曲管継手
１３        多目的管
１４        多目的管
【図１】
2016141985.tif 000003
【図２】
2016141985.tif 000004
【図３】
2016141985.tif 000005
【図４】
2016141985.tif 000006
【図５】
2016141985.tif 000007
【図６】
2016141985.tif 000008
【図７】
2016141985.tif 000009
【図８】
2016141985.tif 000010